(57)【要約】【課題】軸受部等の回転部に給油する給油ユニットにおいて、ポンプによる給油が不安定になっている場合、これを解消する。【解決手段】給油ユニットは、潤滑油を溜める圧力室部５４、及び、電圧の印加により変形して圧力室部５４の容積を変化させる圧電素子５５を有し、当該容積の縮小により圧力室部５４の潤滑油を噴出するポンプ４３と、ポンプ４３と繋がりポンプ４３へ補充する潤滑油を溜めるタンク４２と、圧力室部５４からタンク４２までの間の潤滑油が存在する油領域の圧力又は軸受部２０の状態を検出するセンサ４９，５０と、圧力室部５４からタンク４２までの間の潤滑油が存在する油領域における潤滑油の圧力を調整する圧力調整部４６と、センサ４９，５０による検出結果に基づいて圧力調整部２６と圧電素子５５とのうちの少なくとも一方を制御する制御部４４と、を有している。【選択図】      図３
2019074135.tif 000002
【特許請求の範囲】
【請求項１】
内輪、外輪、及び前記内輪と前記外輪との間に設けられている複数の転動体を有する軸受部と、前記軸受部の隣りに設けられ当該軸受部に潤滑油を供給する給油ユニットと、を備え、
前記給油ユニットは、
潤滑油を溜める圧力室部、及び、電圧の印加により変形して当該圧力室部の容積を変化させる圧電素子を有し、当該容積の縮小により当該圧力室部の潤滑油を噴出するポンプと、
前記ポンプと繋がり当該ポンプへ補充する潤滑油を溜めるタンクと、
前記圧力室部から前記タンクまでの間の潤滑油が存在する油領域の圧力又は前記軸受部の状態を検出するセンサと、
前記圧力室部から前記タンクまでの間の潤滑油が存在する油領域における潤滑油の圧力を調整する圧力調整部と、
前記センサによる検出結果に基づいて前記圧力調整部と前記圧電素子とのうちの少なくとも一方を制御する制御部と、
を有している、転がり軸受装置。
【請求項２】
前記圧力調整部が前記油領域の潤滑油の圧力を調整するための出力は、前記圧電素子が前記圧力室部の潤滑油の圧力を調整するための最大出力よりも大きい、請求項１に記載の転がり軸受装置。
【請求項３】
前記センサは、前記軸受部の潤滑状態に起因する現象を検出し、
前記制御部は、前記センサの検出結果に基づいて前記潤滑状態が不適であると判定すると、前記圧力調整部により前記油領域における潤滑油の圧力を高める制御を行なう、請求項１又は２に記載の転がり軸受装置。
【請求項４】
前記センサは、前記油領域の圧力を検出し、
前記制御部は、前記センサによる検出圧力と基準圧力との差が閾値以下である場合、前記圧電素子の変形動作量を変更する制御を行なう、請求項１〜３のいずれか一項に記載の転がり軸受装置。
【請求項５】
前記センサは、前記油領域の圧力を検出し、
前記制御部は、前記センサによる検出圧力が基準圧力よりも高く、かつ、当該検出圧力と当該基準圧力との差が閾値を超えている場合、前記圧力調整部により前記油領域における潤滑油の圧力を低下させる制御を行なう、請求項１〜４のいずれか一項に記載の転がり軸受装置。
【請求項６】
前記センサは、前記油領域の圧力を検出し、
前記制御部は、前記センサによる検出圧力が基準圧力よりも低く、かつ、当該検出圧力と当該基準圧力との差が閾値を超えている場合、前記圧力調整部により前記油領域における潤滑油の圧力を高める制御を行なう、請求項１〜５のいずれか一項に記載の転がり軸受装置。
【請求項７】
回転部に給油する給油ユニットであって、
潤滑油を溜める圧力室部、及び、電圧の印加により変形して当該圧力室部の容積を変化させる圧電素子を有し、当該容積の縮小により当該圧力室部の潤滑油を噴出するポンプと、
前記ポンプと繋がり当該ポンプへ補充する潤滑油を溜めるタンクと、
前記圧力室部から前記タンクまでの間の潤滑油が存在する油領域の圧力又は前記回転部の状態を検出するセンサと、
前記圧力室部から前記タンクまでの間の潤滑油が存在する油領域における潤滑油の圧力を調整する圧力調整部と、
前記センサによる検出結果に基づいて前記圧力調整部と前記圧電素子とのうちの少なくとも一方を制御する制御部と、
を備えている、給油ユニット。
【発明の詳細な説明】
【技術分野】
【０００１】
本発明は、転がり軸受装置及び給油ユニットに関する。
【背景技術】
【０００２】
近年、各種の工作機械では、加工効率及び生産効率の向上のために主軸の高速化が要求されている。主軸が高速で回転すると、主軸を支持する軸受部において特に潤滑性が問題となる。そこで、軸受部の軸方向隣りに給油ユニットが設けられている転がり軸受装置が提案されている（特許文献１参照）。この給油ユニットは、潤滑油を軸受部に供給するためにポンプ等を有している。
【先行技術文献】
【特許文献】
【０００３】
【特許文献１】特開２０１７−２６１５７号公報
【発明の概要】
【発明が解決しようとする課題】
【０００４】
前記のような給油ユニットが有しているポンプは、潤滑油を噴出口から油滴として噴出させ、軸受部に供給している。このために、ポンプは、潤滑油を溜める圧力室部、及び、電圧の印加により変形して前記圧力室部の容積を変化させる圧電素子を有しており、圧電素子の変形動作によって圧力室部の容積を縮小させ、これにより潤滑油を噴出させることができる。
【０００５】
しかし、このようなポンプを備えている給油ユニットでは、潤滑油の供給（給油）が不安定となる場合がある。例えば圧力室部に微小なエアが混入すると、圧電素子が圧力室部の容積を変化させても、エアの影響によって規定の吐出圧（噴出圧）が得られず、油滴の噴出速度がばらつき、給油が不安定となることがある。また、ポンプには潤滑油を補充するためにタンクが接続されており、このタンク側の潤滑油の圧力が特に高くなっていると、圧電素子が変形動作していないのに、潤滑油が噴出口から滲み出ることがある。滲み出た潤滑油が噴出口を塞ぐと、その後の油滴の噴出に悪影響を及ぼす。また、これとは反対に、タンク側の潤滑油の圧力が特に低くなっていると、圧電素子が変形動作しても、所望の吐出圧が得られず、潤滑油を油滴として噴出することができないことがある。これらのようにポンプによる給油が不安定となり、その状態が継続すると、軸受部がやがて貧潤滑状態となり、軸受部の回転性能を低下させてしまう。
【０００６】
そこで、本発明は、ポンプによる給油が不安定になっている場合、これを解消することが可能となる給油ユニットを備えている転がり軸受装置、及び、このような給油ユニットを提供することを目的とする。
【課題を解決するための手段】
【０００７】
本発明の転がり軸受装置は、内輪、外輪、及び前記内輪と前記外輪との間に設けられている複数の転動体を有する軸受部と、前記軸受部の隣りに設けられ当該軸受部に潤滑油を供給する給油ユニットと、を備え、前記給油ユニットは、潤滑油を溜める圧力室部、及び、電圧の印加により変形して当該圧力室部の容積を変化させる圧電素子を有し、当該容積の縮小により当該圧力室部の潤滑油を噴出するポンプと、前記ポンプと繋がり当該ポンプへ補充する潤滑油を溜めるタンクと、前記圧力室部から前記タンクまでの間の潤滑油が存在する油領域の圧力又は前記軸受部の状態を検出するセンサと、前記圧力室部から前記タンクまでの間の潤滑油が存在する油領域における潤滑油の圧力を調整する圧力調整部と、前記センサによる検出結果に基づいて前記圧力調整部と前記圧電素子とのうちの少なくとも一方を制御する制御部と、を有している。
【０００８】
この転がり軸受装置によれば、ポンプによる給油が不安定になっている場合、その原因の一つと考えられる前記油領域における潤滑油の圧力が、又は、潤滑油の噴出不良による軸受部の状態（潤滑油不足の兆候）が、センサによって検出され、この検出結果に基づいて圧力調整部とポンプの圧電素子とのうちの少なくとも一方が制御される。圧力調整部を制御する場合、油領域の圧力が調整されて圧力室部の圧力を所望の値に近づけたり、油領域を加圧して圧力室部のエア等の異物を排出させたりすることができ、また、圧電素子を制御する場合、ポンプによる噴出能力を調整することができる。この結果、ポンプによる給油の不安定を解消することが可能となる。
【０００９】
なお、「前記圧力室部から前記タンクまでの間の潤滑油が存在する油領域」には、圧力室部とタンクとの間の途中の他に、圧力室部及びタンクが含まれる。更に、前記油領域を、前記途中、圧力室部又はタンクから分岐して潤滑油が存在している領域とすることもできる。また、前記センサによる圧力の検出の対象となる油領域と、前記圧力調整部によって潤滑油の圧力を調整する対象となる油領域とは、同じであってもよく、異なっていてもよい。
【００１０】
また、前記圧力調整部が前記油領域の潤滑油の圧力を調整するための出力は、前記圧電素子が前記圧力室部の潤滑油の圧力を調整するための最大出力よりも大きいのが好ましい。ポンプによる給油が不安定となることにより発生した給油ユニットの不調が、ポンプの圧電素子による出力では対処できないような場合であっても、前記構成によれば、圧力調整部の機能によって、その不調を解消することが可能となる場合がある。
【００１１】
また、前記センサは、前記軸受部の潤滑状態に起因する現象を検出し、前記制御部は、前記センサの検出結果に基づいて前記潤滑状態が不適であると判定すると、前記圧力調整部により前記油領域における潤滑油の圧力を高める制御を行なうのが好ましい。この構成によれば、例えば、ポンプの圧力室部にエア等の異物が混入していて給油が不調となり、潤滑油不足によって軸受部の潤滑状態が悪化している場合、センサはこの状態を検出する。そして、この検出に基づいて圧力調整部が前記油領域における潤滑油の圧力を高めることで、ポンプの圧力室部から前記異物を強制的に排出させ、給油の不調を解消することが可能となる。
【００１２】
また、前記センサは、前記油領域の圧力を検出し、前記制御部は、前記センサによる検出圧力と基準圧力との差が閾値以下である場合、前記圧電素子の変形動作量を変更する制御を行なうのが好ましい。この構成によれば、例えば油領域における潤滑油の圧力が変動することによってポンプの給油が不安定となっている場合、センサはこの油領域の圧力を検出し、この検出した結果に応じて圧電素子の変形動作量を変化させることで、ポンプによる給油を安定させることが可能となる。
【００１３】
また、前記油領域の圧力が基準圧力よりも高く、その圧力差が閾値を超えているような場合、この油領域の圧力がポンプの圧力室部に伝わり、圧電素子が変形動作していないのに、ポンプから潤滑油が押し出されて勝手に滲み出るおそれがある。そこで、前記センサは、前記油領域の圧力を検出し、前記制御部は、前記センサによる検出圧力が基準圧力よりも高く、かつ、当該検出圧力と当該基準圧力との差が閾値を超えている場合、前記圧力調整部により前記油領域における潤滑油の圧力を低下させる制御を行なうのが好ましい。この構成によれば、前記のような場合であっても、油領域と繋がるポンプの圧力室部における潤滑油の圧力が低下するので、ポンプから勝手に潤滑油が滲み出るのを防ぐことが可能となる。
【００１４】
また、前記油領域の圧力が基準圧力よりも低く、その圧力差が閾値を超えているような場合、この油領域の圧力がポンプの圧力室部に伝わり、圧電素子が変形動作しても、圧力室部において所望の吐出圧が得られず、潤滑油を油滴として噴出させることができないおそれがある。そこで、前記センサは、前記油領域の圧力を検出し、前記制御部は、前記センサによる検出圧力が基準圧力よりも低く、かつ、当該検出圧力と当該基準圧力との差が閾値を超えている場合、前記圧力調整部により前記油領域における潤滑油の圧力を高める制御を行なうのが好ましい。この構成によれば、前記のような場合であっても、油領域と繋がるポンプの圧力室部における潤滑油の圧力が高まるので、圧力室部において所望の吐出圧を得ることができ、潤滑油を安定して噴出させることが可能となる。
【００１５】
また、本発明は、回転部に給油する給油ユニットであって、潤滑油を溜める圧力室部、及び、電圧の印加により変形して当該圧力室部の容積を変化させる圧電素子を有し、当該容積の縮小により当該圧力室部の潤滑油を噴出するポンプと、前記ポンプと繋がり当該ポンプへ補充する潤滑油を溜めるタンクと、前記圧力室部から前記タンクまでの間の潤滑油が存在する油領域の圧力又は前記回転部の状態を検出するセンサと、前記圧力室部から前記タンクまでの間の潤滑油が存在する油領域における潤滑油の圧力を調整する圧力調整部と、前記センサによる検出結果に基づいて前記圧力調整部と前記圧電素子とのうちの少なくとも一方を制御する制御部と、を備えている。
【００１６】
この給油ユニットによれば、ポンプによる給油が不安定になっている場合、その原因の一つと考えられる前記油領域における潤滑油の圧力が、又は、潤滑油の噴出不良による回転部の状態（潤滑油不足の兆候）が、センサによって検出され、この検出結果に基づいて前記圧力調整部による調整動作とポンプの圧電素子の変形動作とのうちの少なくとも一方が制御される。前記調整動作の制御によれば、油領域の圧力が調整されて圧力室部の圧力を基準圧力に近づけたり、油領域を加圧して圧力室部のエア等の異物を排出させたりすることができ、また、前記変形動作の制御によれば、ポンプによる噴出能力を調整することができる。この結果、ポンプによる給油の不安定を解消することが可能となる。
【発明の効果】
【００１７】
本発明によれば、ポンプによる給油が不安定になっている場合、これを解消することが可能となる。
【図面の簡単な説明】
【００１８】
【図１】転がり軸受装置の一例を示す断面図である。
【図２】給油ユニットを軸方向から見た図である。
【図３】ポンプ、タンクの一部、及びその周囲の構成の概略を示す説明図である。
【図４】ポンプ、タンクの一部、及びその周囲の構成の概略（他の形態）を示す説明図である。
【図５】ポンプ、タンクの一部、及びその周囲の構成の概略（他の形態）を示す説明図である。
【図６】ポンプ、タンクの一部、及びその周囲の構成の概略（他の形態）を示す説明図である。
【発明を実施するための形態】
【００１９】
〔転がり軸受装置の全体構成について〕
図１は、転がり軸受装置の一例を示す断面図である。図１に示す転がり軸受装置１０（以下、「軸受装置１０」ともいう。）は、工作機械が有する主軸装置の軸（主軸）７を回転可能に支持するものであり、主軸装置の軸受ハウジング８内に収容されている。図１では、軸７及び軸受ハウジング８を２点鎖線で示している。なお、本発明の転がり軸受装置は工作機械以外においても適用可能である。また、以下の説明において、軸受装置１０の中心軸Ｃに平行な方向を「軸方向」と呼び、この軸方向に直交する方向を「径方向」と呼ぶ。
【００２０】
図１に示す軸受装置１０は、軸受部２０と給油ユニット４０とを備えている。軸受部２０は、内輪２１、外輪２２、複数の玉（転動体）２３、及びこれら複数の玉２３を保持する保持器２４を有しており、玉軸受（転がり軸受）を構成している。更に、この軸受装置１０は、円筒状である内輪間座１７、及び円筒状である外輪間座１８を備えている。
【００２１】
給油ユニット４０は、全体として円環状であり、軸受部２０の軸方向隣りに設けられている。本実施形態の給油ユニット４０は、外輪間座１８の径方向内側に設けられ、内輪２１と外輪２２との間に形成されている環状空間１１の軸方向隣りに位置しており、軸受部２０（環状空間１１）に潤滑油を供給する機能を有する。給油ユニット４０の構成及び機能については後に説明する。なお、図示しないが、給油ユニット４０（後述の本体部４１）と外輪間座１８とを一体とし、給油ユニット４０が外輪間座としての機能を有するようにしてもよい。
【００２２】
本実施形態では、外輪２２及び外輪間座１８が軸受ハウジング８に回転不能として取り付けられており、内輪２１及び内輪間座１７が軸７と共に回転する。したがって、外輪２２が、回転しない固定輪となり、内輪２１が、軸７と共に回転する回転輪となる。
【００２３】
内輪２１は、軸７に外嵌する円筒状の部材であり、その外周に軌道２５（以下、「内輪軌道２５」という。）が形成されている。本実施形態では、内輪２１と内輪間座１７とは別体であるが、図示しないが、これらは一体（一体不可分）であってもよい。外輪２２は、軸受ハウジング８の内周面に取り付けられる円筒状の部材であり、その内周に軌道２６（以下、「外輪軌道２６」という。）が形成されている。本実施形態では、外輪２２と外輪間座１８とは別体であるが、図示しないが、これらは一体（一体不可分）であってもよい。
【００２４】
玉２３は、内輪２１と外輪２２との間に介在しており、内輪軌道２５及び外輪軌道２６を転動する。保持器２４は、環状であり、玉２３を収容するポケット２７が周方向に沿って複数形成されている。玉２３及び保持器２４は、前記環状空間１１に設けられている。
【００２５】
〔給油ユニット４０について〕
図２は、給油ユニット４０を軸方向から見た図である。給油ユニット４０は、全体として円環形状を有し、環状の本体部４１を備えている。この本体部４１に、タンク４２、ポンプ４３、センサ４９，５０、圧力調整部４６、及び、制御部４４が設けられている。更に、本実施形態の給油ユニット４０は電源部４５を備えており、電源部４５は、ポンプ４３、センサ４９，５０、圧力調整部４６、及び制御部４４それぞれを機能させるための電力を供給する。
【００２６】
本体部４１は、例えば樹脂製の環状部材であり、ポンプ４３等を収容（保持）するフレームとしての機能も有している。つまり、本体部４１には中空空間が形成されており、この中空空間にタンク４２、ポンプ４３、センサ４９，５０、圧力調整部４６、制御部４４、及び電源部４５が設けられる。これにより、本体部４１、タンク４２、及びポンプ４３等を含む給油ユニット４０は一体として構成される。
【００２７】
〔タンク４２及びポンプ４３について〕
タンク４２とポンプ４３とは配管２９による流路を通じて繋がっていて、タンク４２は、ポンプ４３へ補充する潤滑油（オイル）を溜める。ポンプ４３が潤滑油を吐出して潤滑油が消費されると、タンク４２の潤滑油がポンプ４３へ自動的に流れて補充される。
【００２８】
ポンプ４３は、軸受部２０（環状空間１１）に潤滑油を供給する機能を有している。この機能を発揮するために、図３に示すように、ポンプ４３は、潤滑油を噴出する噴出口（ノズル）５１が設けられているポンプ本体４８を有しており、ポンプ本体４８は、噴出口５１と繋がりかつ潤滑油を溜める空間である圧力室部（第一の圧力室部）５４と、圧電素子（第一の圧電素子）５５とを有している。図３は、ポンプ４３、タンク４２の一部、及びその周囲の構成の概略を示す説明図である。ポンプ本体４８内には、第一の圧力室部５４の壁の一部を構成する弾性変形可能な振動板（第一の振動板）４７が設けられており、この第一の振動板４７に第一の圧電素子５５が取り付けられている。第一の圧電素子５５は電圧を付与すると変形し、この第一の圧電素子５５の変形によって第一の振動板４７が変形する。これにより、第一の圧力室部５４の容積が変化する。第一の圧力室部５４には、潤滑油が充満状態にある。
【００２９】
噴出口５１は、ポンプ本体４８が有する壁部に形成された微小の貫通孔により構成されており、噴出口５１は、この壁部の側面において開口している。噴出口５１が開口しているこの側面は、前記環状空間１１の一部に臨む面となる（図１参照）。
【００３０】
前記のとおり、第一の圧電素子５５は、電圧が印加されることにより変形して第一の圧力室部５４の容積を変化させることができる。第一の圧力室部５４の容積が縮小することによって、この第一の圧力室部５４の潤滑油を噴出口５１から環状空間１１に向けて噴出することができる。特に、第一の圧電素子５５が動作することにより、噴出口５１から潤滑油を油滴として初速を有して噴出させる。つまり、噴出口５１から油滴は飛翔する。噴出口５１は、軸受部２０の内輪軌道２５（図１参照）に向かって開口しており、噴出口５１から噴出させた油滴は、玉２３に当たる、又は、隣り合う玉２３，２３の間を通過したとしても内輪軌道２５に当たることができる。これにより、給油ユニット４０は、軸受部２０に対して給油を行なうことができる。
【００３１】
このようにポンプ４３は、タンク４２の潤滑油を第一の圧力室部５４において受けると共に、この第一の圧力室部５４の潤滑油を噴出口５１から油滴として軸受部２０のターゲットに向けて噴出させる（飛翔させる）構成となっている。潤滑油の効率的利用の観点から、ポンプ４３において１回の噴出動作で定められた量の油滴を噴出させ、この油滴を軸受部２０のターゲットに到達させる。ポンプ４３の１回の動作で、噴出口５１から数ピコリットル〜数ナノリットルの潤滑油が油滴として噴出される。本実施形態における前記ターゲットは、玉２３及び内輪軌道２５である。
【００３２】
ポンプ４３が有する第一の圧電素子５５に印加する電圧値を変更すれば、第一の圧電素子５５の変形動作量が変更される。つまり、第一の圧電素子５５に印加する電圧値を高くすることで、この第一の圧電素子５５の変形動作量が大きくなり、この結果、第一の圧力室部５４における潤滑油の圧力（内圧）が高めとなって、噴出口５１からの潤滑油の噴出速度が高くなる。これに対して、第一の圧電素子５５に印加する電圧値を低くすることで、この第一の圧電素子５５の変形動作量が小さくなり、この結果、第一の圧力室部５４の内圧が低めとなって、噴出口５１からの潤滑油の噴出速度が低くなる。なお、第一の圧電素子５５が動作した際の第一の圧力室部５４の内圧は、ポンプ４３の吐出圧と言える。
【００３３】
ポンプ４３は、タンク４２と配管２９を介して繋がっている。タンク４２の潤滑油は配管２９を通じてポンプ４３に供給（補充）される。このため、タンク４２側を、潤滑油の流れ方向の「上流側」と呼び、ポンプ４３の噴出口５１側を「下流側」と呼ぶことができる。本実施形態のタンク４２は、補充する潤滑油の多くを溜めている最も上流側のメインタンク部４２ａと、メインタンク部４２ａの下流側に設けられているサブタンク部４２ｂとを有している。サブタンク部４２ｂは、潤滑油を充満状態で溜めることができる第二の圧力室部５７を有している。第二の圧力室部５７は、ポンプ４３が有する第一の圧力室部５４からタンク４２（メインタンク部４２ａ）までの間の潤滑油が存在する油領域であると言える。第二の圧力室部５７は第一の圧力室部５４と配管２９を通じて繋がっており、第二の圧力室部５７の内圧が高くなると、第一の圧力室部５４の内圧も高くなる。第二の圧力室部５７の内圧が低くなると、第一の圧力室部５４の内圧も低くなる。
【００３４】
〔圧力調整部４６について〕
サブタンク部４２ｂ内には、第二の圧力室部５７の壁の一部を構成する弾性変形可能な振動板（第二の振動板）５８が設けられており、この第二の振動板５８に圧電素子（第二の圧電素子）５９が取り付けられている。第二の圧電素子５９は電圧を印加すると変形し、この第二の圧電素子５９の変形によって第二の振動板５８が変形する。これにより、第二の圧力室部５７の容積が変化し、第二の圧力室部５７における潤滑油の圧力（内圧）が調整される。つまり、本実施形態では、圧力調整部４６は、電圧の印加により変形する第二の圧電素子５９を有する（第二の）ポンプにより構成されている。
【００３５】
第二の圧力室部５７の容積を狭くする方向に第二の圧電素子５９が変形すると、第二の圧力室部５７の内圧は高まる。これに対して、第二の圧力室部５７の容積を広くする方向に第二の圧電素子５９が変形すると、第二の圧力室部５７の内圧は低くなる。第二の圧電素子５９に印加する電圧の大きさに応じて、第二の圧力室部５７の容積を狭くしたり広くしたり変更することができ、更に、その電圧を維持することで、第二の圧力室部５７の容積を、所定の大きさに維持することが可能である。以上より、圧力調整部４６として機能する第二の圧電素子５９は、第二の圧力室部５７（第一の圧力室部５４からタンク４２までの間の潤滑油が存在する油領域）における潤滑油の圧力を調整する機能を有している。
【００３６】
本実施形態では、ポンプ４３が有する第一の圧電素子５５と、圧力調整部４６として機能する第二の圧電素子５９とは、形式が異なっている。第一の圧電素子５５は、縦振動型の圧電素子（ピエゾ素子）であるのに対して、第二の圧電素子５９は、たわみ振動型の圧電素子（ピエゾ素子）であり、第二の圧電素子５９の方が第一の圧電素子５５よりも動作量が大きい。具体的に説明すると、第二の圧電素子５９が第二の圧力室部５７との間の第二の振動板５８を押す面積は、第一の圧電素子５５が第一の圧力室部５４との間の第一の振動板４７を押す面積よりも大きく、また、印加電圧が同じである場合に、第二の圧電素子５９が第二の振動板５８を押すストロークは、第一の圧電素子５５が第一の振動板４７を押すストロークよりも大きい。よって、第二の圧電素子５９（圧力調整部４６）が、油領域である第二の圧力室部５７の潤滑油の圧力を調整するための出力は、第一の圧電素子５５が第一の圧力室部５４の潤滑油の圧力を調整するための最大出力よりも大きい。
【００３７】
〔センサについて〕
本実施形態の給油ユニット４０は、第一のセンサと、第二のセンサとを有している。第一のセンサは、軸受部２０の潤滑状態に起因する現象を検出するセンサである。具体的に説明すると、第一のセンサは温度センサ（赤外線センサ）４９であり、非接触式とするのが好ましい。温度センサ４９は、給油ユニット４０の本体部４１の一部に取り付けられている（図２参照）。例えば、軸受部２０が貧潤滑状態になると、軸受部２０は昇温する。そこで、温度センサ４９は、軸受部２０の一部（例えば、保持器２４）の温度を検出する。軸受部２０における温度の変化は、軸受部２０の状態（潤滑状態）の変化であると言えることから、温度センサ４９により、軸受部２０の状態（潤滑状態）に起因する現象が検出される。
【００３８】
なお、第一のセンサは温度センサ４９以外であってもよく、振動センサ又はＡＥセンサ（アコースティックエミッションセンサ）であってもよい。または、これらのうちの複数の組み合わせであってもよい。例えば、軸受部２０が貧潤滑状態になると、軸受部２０において振動が大きくなったり、想定外のひずみエネルギーが蓄積されて弾性波（音波）が放射されたりする。第一のセンサが振動センサである場合、軸受部２０において発生した振動を、外輪間座１８を通じて検出することができる。第一のセンサがＡＥセンサである場合、軸受部２０（例えば外輪２２）の内部のひずみエネルギーが弾性波となって放射されると、このセンサは弾性波を音波として検出する。
【００３９】
第二のセンサは、圧力センサ（微圧センサ）５０であり（図３参照）、ポンプ４３が有する第一の圧力室部５４からタンク４２までの間の潤滑油が存在する油領域の潤滑油の圧力を検出する。本実施形態の前記油領域は、ポンプ４３とタンク４２との間の配管２９であり、配管２９内の潤滑油の圧力（内圧）が、圧力センサ５０によって検出される。
【００４０】
〔制御部４４について〕
第一のセンサである温度センサ４９、及び、第二のセンサである圧力センサ５０の検出結果は、制御部４４へ出力される。制御部４４は、プログラミングされたマイコン等を含む回路基板により構成されており、各種の処理を実行可能である。制御部４４の機能について説明する。制御部４４は、温度センサ４９の検出値と、規定の閾値とを比較することにより、軸受部２０の潤滑状態の適否を判定することができる（判定処理）。また、制御部４４は、圧力センサ５０による検出圧力と規定の基準圧力とを比較し、また、これら検出圧力と基準圧力との差を求めることができる（比較処理）。前記判定処理及び前記比較処理の処理結果に応じて、制御部４４は、次の第一処理、第二処理、第三処理、及び、第四処理を選択して実行することができる。
【００４１】
・第一処理：圧力センサ５０による検出圧力と基準圧力との差が閾値以下である場合、第一の圧電素子５５の変形動作量を変更する制御を行なう。
・第二処理：圧力センサ５０による検出圧力が基準圧力よりも高く、かつ、これら検出圧力と基準圧力との差（絶対値）が閾値を超えている場合、第二の圧電素子５９により第二の圧力室部５７における潤滑油の圧力を低下させるための制御を行なう。
・第三処理：圧力センサ５０による検出圧力が基準圧力よりも低く、かつ、これら検出圧力と基準圧力との差（絶対値）が閾値を超えている場合、第二の圧電素子５９により第二の圧力室部５７における潤滑油の圧力を高めるための制御を行なう。
・第四処理：温度センサ４９の検出結果に基づいて軸受部２０の潤滑状態が不適であると判定した場合、第二の圧電素子５９により第二の圧力室部５７における潤滑油の圧力を高める制御を行なう。
【００４２】
なお、前記第一処理に関して、第一の圧電素子５５の変形動作量を変更する制御は、第一の圧電素子５５に印加する電圧を変更する制御により実現される。
また、前記第二、第三、及び第四処理により、第二の圧力室部５７における潤滑油の圧力が高まる（又は低下する）ことで、第二の圧力室部５７と繋がる第一の圧力室部５４の潤滑油は加圧される（又は減圧される）。
【００４３】
このように、制御部４４は、温度センサ４９及び圧力センサ５０による検出結果に基づいて、第二の圧電素子５９による第二の圧力室部５７における潤滑油の圧力の調整動作と、第一の圧電素子５５の変形動作とのうちの少なくとも一方を制御する機能を有している。また、制御部４４は、潤滑油をポンプ４３の噴出口５１から噴出させるタイミング、つまり、第一の圧電素子５５を変形動作せるタイミングを制御する機能を有している。以下、制御部４４が実行する処理の具体例について説明する。
【００４４】
〔制御部４４が実行する処理について〕
給油ユニット４０の通常運転において、ポンプ４３が潤滑油の噴出を待機している状態での制御部４４による制御について説明する。ポンプ４３が待機している状態では、図３における噴出口５１の拡大図に示すように、噴出口５１の下流端には、潤滑油によるメニスカス３０が形成されている。これは、噴出口５１における潤滑油の圧力（内圧）が、ポンプ４３の外部（気圧）を基準して僅かに負圧となっていることによる。そして、本実施形態では、通常時、噴出口５１における潤滑油の圧力（内圧：Ｐｎｏｚ）と、第二の圧力室部５７における潤滑油の圧力（内圧：Ｐｔａｎｋ）とが一定となるように、制御部４４は、圧力調整部４６として機能する第二の圧電素子５９を制御している。
【００４５】
タンク４２に溜められている潤滑油は、ポンプ４３による給油動作によって消費され（減少し）、タンク４２の潤滑油の残量によって、第二の圧力室部５７の内圧（Ｐｔａｎｋ）は変動することが考えられる。噴出口５１の内圧（Ｐｎｏｚ）は、その形態（大きさ）によって定まることから、基準圧力となるこの内圧（Ｐｎｏｚ）と第二の圧力室部５７の内圧（Ｐｔａｎｋ）とが等しくなるように第二の圧電素子５９の動作が、制御部４４によって制御される。このように噴出口５１の内圧（Ｐｎｏｚ）と第二の圧力室部５７の内圧（Ｐｔａｎｋ）とを等しくすることにより、ポンプ４３の第一の圧電素子５５が一定の動作を行なうと、つまり第一の圧電素子５５に一定の電圧（所定波形の電圧）を印加すると、所望とする一定の噴出速度（噴出量）で潤滑油を噴出口５１から噴出させることが可能となる。
噴出口５１の内圧（Ｐｎｏｚ）と第二の圧力室部５７の内圧（Ｐｔａｎｋ）とが等しいというバランス状態が崩れると、その状態に応じて、制御部４４は、以下に説明する第一処理、第二処理、及び第三処理のうちのいずれか一つを選択して実行する。
【００４６】
〔第一処理〕
前記のとおり、タンク４２の潤滑油の残量によって、第二の圧力室部５７の内圧（Ｐｔａｎｋ）が変動することがある。この内圧（Ｐｔａｎｋ）が変動すると、基準圧力である噴出口５１の内圧（Ｐｎｏｚ）との間で差圧が発生する。第二の圧力室部５７の内圧（Ｐｔａｎｋ）が、噴出口５１の内圧（Ｐｎｏｚ）よりも高くなると、第一の圧力室部５４の内圧、つまり、ポンプ４３の吐出圧も高くなる。このため、第一の圧電素子５５が一定の動作を行っても、吐出圧が高めとなることから、潤滑油の吐出速度が高くなる。これに対して、第二の圧力室部５７の内圧（Ｐｔａｎｋ）が、噴出口５１の内圧（Ｐｎｏｚ）よりも小さくなると、第一の圧力室部５４の内圧、つまりポンプ４３の吐出圧が低くなる。このため、第一の圧電素子５５が一定の動作をしても、吐出圧が低めとなることから、潤滑油の吐出速度が低くなる。このように、給油ユニット４０の運転が継続されていると、ポンプ４３による給油が不安定となる場合がある。
【００４７】
そこで、圧力センサ５０は、第二の圧力室部５７の内圧（Ｐｔａｎｋ）と（略）等しくなる配管２９における潤滑油の圧力（内圧）を検出している。配管２９における検出圧力（Ｐ′ｔａｎｋ）と、予め設定されている基準圧力（Ｐｎｏｚ）との差の絶対値ΔＰが、第一閾値Ｑ１以下であって、かつ、第二閾値Ｑ２以上である場合（但し、Ｑ１＞Ｑ２）、制御部４４は、第一の圧電素子５５の変形動作量を変更する制御を行なう。
【００４８】
具体的に説明すると、前記差の絶対値ΔＰが、第一閾値Ｑ１以下でありかつ第二閾値Ｑ２以上（Ｑ２≦ΔＰ≦Ｑ１）であって、検出圧力（Ｐ′ｔａｎｋ）が基準圧力（Ｐｎｏｚ）よりも高い場合、制御部４４は、第一の圧電素子５５に対する指令信号として、圧力の検出前よりも電圧を低くして第一の圧電素子５５に印加させる制御を行なう。この場合とは反対に、前記差ΔＰが、第一閾値Ｑ１以下でありかつ第二閾値Ｑ２以上であるが、検出圧力（Ｐ′ｔａｎｋ）が基準圧力（Ｐｎｏｚ）よりも低い場合、制御部４４は、第一の圧電素子５５に対する指令信号として、圧力の検出前よりも電圧を高くして第一の圧電素子５５に印加させる制御を行なう。このように、印加電圧を低く又は高くする制御は、検出圧力（Ｐ′ｔａｎｋ）の大きさに応じて実行される。つまり、検出圧力（Ｐ′ｔａｎｋ）に基づく制御は、フィードバック制御となる。
【００４９】
以上のように、制御部４４は、圧力センサ５０による検出圧力（Ｐ′ｔａｎｋ）と基準圧力（Ｐｎｏｚ）との差ΔＰが第一閾値Ｑ１以下（かつ第二閾値Ｑ２以上）である場合、第一の圧電素子５５の変形動作量を変更する制御を、第一処理として行なう。この第一処理によれば、例えば第二の圧力室部５７における潤滑油の圧力が変動することによってポンプ４３による給油が不安定となっても、圧力センサ５０は、第二の圧力室部５７の圧力と（略）同じとなる配管２９の内圧（Ｐ′ｔａｎｋ）を検出し、この検出した結果に応じて第一の圧電素子５５の変形動作量を変化させる。この結果、前記バランス状態に可及的に近づけることができ、ポンプ４３による潤滑油の噴出を安定させることが可能となる。
【００５０】
なお、検出圧力（Ｐ′ｔａｎｋ）と基準圧力（Ｐｎｏｚ）との差ΔＰが、第二閾値Ｑ２未満（ΔＰ＜Ｑ２）である場合は、ポンプ４３による潤滑油の噴出速度は大きく変化しないことから、第一の圧電素子５５の変形動作量を変更しないようにすることが可能である。
【００５１】
〔第二処理及び第三処理〕
前記第一処理は、第二の圧力室部５７における圧力（Ｐｔａｎｋ）と（略）等しい配管２９の内圧（Ｐ′ｔａｎｋ）と、基準圧力（Ｐｎｏｚ）との差の絶対値ΔＰが、第一閾値Ｑ１以下である場合の処理である。以下、この差の絶対値ΔＰが、第一閾値Ｑ１を超えている場合、つまり、第二の圧力室部５７の圧力（Ｐｔａｎｋ＝Ｐ′ｔａｎｋ）が大きく変動している場合について説明する。
【００５２】
先ず、検出圧力（Ｐ′ｔａｎｋ）と基準圧力（Ｐｎｏｚ）との差の絶対値ΔＰが第一閾値Ｑ１を超えていて（ΔＰ＞Ｑ１）、しかも、検出圧力（Ｐ′ｔａｎｋ）が基準圧力（Ｐｎｏｚ）よりも高い場合について説明する。この場合、第二の圧力室部５７及び配管２９において高くなった圧力が、ポンプ４３の第一の圧力室部５４に伝わり、第一の圧電素子５５が変形動作していないのに、ポンプ４３の噴出口５１から潤滑油が押し出されて勝手に滲み出るおそれがある。
【００５３】
そこで、このような場合、制御部４４は、第一の圧電素子５５に対する指令信号として、第二の圧力室部５７の容積を拡大させる方向に第二の圧電素子５９を変形させる電圧を印加する制御を行なう。これにより、第二の圧力室部５７の圧力（Ｐｔａｎｋ）を、圧力の検出時と比較して、低下させることができ、基準圧力（Ｐｎｏｚ）に近づけることができる。このように、圧力センサ５０による検出圧力（Ｐ′ｔａｎｋ）が基準圧力（Ｐｎｏｚ）よりも高く、かつ、これら検出圧力（Ｐ′ｔａｎｋ）と基準圧力（Ｐｎｏｚ）との差の絶対値ΔＰが、第一閾値Ｑ１を超えている場合、制御部４４は、第二の圧電素子５９により第二の圧力室部５７における潤滑油の圧力を低下させるための制御を、第二処理として行なう。この第二処理によれば、第二の圧力室部５７の圧力（Ｐｔａｎｋ）が高くなっていても、第二の圧電素子５９によって、この圧力（Ｐｔａｎｋ）を低下させることで、第二の圧力室部５７と繋がる第一の圧力室部５４の内圧が低下するので、ポンプ４３から勝手に潤滑油が滲み出るのを防ぐことが可能となる。特に、第二の圧力室部５７の圧力と（略）等しくなる配管２９の圧力、つまり、圧力センサ５０による検出圧力（Ｐｔａｎｋ）が基準圧力（Ｐｎｏｚ）と等しくなるように、第二の圧電素子５９によって、第二の圧力室部５７の圧力を低下させるのが好ましい。
【００５４】
次に、検出圧力（Ｐ′ｔａｎｋ）と基準圧力（Ｐｎｏｚ）との差の絶対値ΔＰが第一閾値Ｑ１を超えていて（ΔＰ＞Ｑ１）、しかも、検出圧力（Ｐ′ｔａｎｋ）が基準圧力（Ｐｎｏｚ）よりも低い場合について説明する。この場合、第二の圧力室部５７及び配管２９において低くなった圧力が、ポンプ４３の第一の圧力室部５４に伝わり、第一の圧電素子５５が変形動作しても、第一の圧力室部５４において所望の吐出圧が得られず、潤滑油を油滴として噴出させることができないおそれがある。
【００５５】
そこで、このような場合、制御部４４は、第一の圧電素子５５に対する指令信号として、第二の圧力室部５７の容積を縮小させる方向に第二の圧電素子５９を変形させる電圧を印加する制御を行なう。これにより、第二の圧力室部５７の圧力（Ｐｔａｎｋ）を、圧力の検出時と比較して、高めることができ、基準圧力（Ｐｎｏｚ）に近づけることができる。このように、圧力センサ５０による検出圧力（Ｐ′ｔａｎｋ）が基準圧力（Ｐｎｏｚ）よりも低く、かつ、これら検出圧力（Ｐ′ｔａｎｋ）と基準圧力（Ｐｎｏｚ）との差の絶対値ΔＰが、第一の閾値Ｑ１を超えている場合、制御部４４は、第二の圧電素子５９により第二の圧力室部５７における潤滑油の圧力を高めるための制御を、第三処理として行なう。この第三処理によれば、第二の圧力室部５７の圧力（Ｐｔａｎｋ）が低くなっていても、第二の圧電素子５９によって、この圧力（Ｐｔａｎｋ）を高めることで、第二の圧力室部５７と繋がる第一の圧力室部５４の内圧が高まるので、第一の圧力室部５４において所望の吐出圧を得ることができ、ポンプ４３から潤滑油を安定して噴出させることが可能となる。特に、第二の圧力室部５７の圧力と（略）等しくなる配管２９の圧力（Ｐｔａｎｋ）が基準圧力（Ｐｎｏｚ）と等しくなるように、第二の圧電素子５９によって、第二の圧力室部５７の圧力を上昇させるのが好ましい。
【００５６】
第二処理及び第三処理のように、第二の圧力室部５７の内圧を低く又は高くするための制御は、検出圧力（Ｐ′ｔａｎｋ）の大きさに応じて実行される。つまり、検出圧力（Ｐ′ｔａｎｋ）に基づく制御は、フィードバック制御となる。なお、  第二処理と第三処理とでそれぞれ採用される第一の閾値Ｑ１は、異なる値であってもよい。
【００５７】
〔第四処理〕
第四処理は、第一、第二、及び第三処理の場合とは異なり、ポンプ４３の第一の圧力室部５４にエア等の異物が混入することに起因する給油の不安定を、解消するための処理である。
【００５８】
ポンプ４３は、前記のとおり、噴出口５１から潤滑油を微小な油滴として噴出させる。潤滑油を微小な孔による噴出口５１から噴出させると、潤滑油の大部分は前記ターゲットに向かうが、一部が粘性によってポンプ本体４８側に戻る。この際、一部の潤滑油と共に外部のエアが噴出口５１を通じて引き込まれ、第一の圧力室部５４に入ることがある。なお、タンク４２側から第一の圧力室部５４にエアが入ることもある。このように、第一の圧力室部５４にエア等の異物が混入すると、第一の圧電素子５５が動作しても、このエアがダンパのように機能し、所望の吐出圧が得られず、ポンプ４３による給油が不安定になるという不調が発生するおそれがある。この場合、潤滑油不足によって軸受部２０の潤滑状態がやがて悪化し、温度が上昇する。
【００５９】
そこで、温度センサ４９が軸受部２０の温度を検出し、制御部４４が、軸受部２０の状態変化として、温度上昇を検知する。制御部４４が、温度センサ４９の検出値と、温度について閾値とを比較し、検出値がこの閾値を超えていると判定すると、エアが混入しているとみなし、第二の圧電素子５９により第二の圧力室部５７の内圧を高める制御を行なう。このように、軸受部２０の潤滑状態が不適であると判定されると、第二の圧電素子５９により第二の圧力室部５７の内圧を高める制御を行ない、第二の圧力室部５７と繋がっている第一の圧力室部５４の潤滑油を加圧する。
【００６０】
更に、この制御を具体的に説明すると、制御部４４の判定によって第一の圧力室部５４にエアが混入しているとみなされると、制御部４４は、第二の圧電素子５９に対する指令信号として、第二の圧力室部５７の容積を縮小させる方向に第二の圧電素子５９を変形させる電圧を印加する制御を行なう。これにより、第二の圧力室部５７における潤滑油の圧力が高まり、この第二の圧力室部５７と繋がる第一の圧力室部５４の内圧が高くなって、第一の圧力室部５４に混入したエアを強制的に排出させる（押し出す）ことができる。この結果、給油の不調を解消することが可能となる。
【００６１】
このような第四処理によれば、エアを含む潤滑油が、噴出口５１から滲み出るようにして吐出される場合がある。そこで、吐出した潤滑油が噴出口５１を覆わないように、本実施形態のポンプ４３は、ポンプ本体４８を振動させる振動体３５を更に有している。振動体３５は、制御部４４の指令信号を受けて動作する振動アクチュエータにより構成されており、前記電源部４５から電力を受けて動作する。本実施形態では、第四処理の後、振動体３５を動作させる。振動体３５は、例えば圧電素子を有しており、この圧電素子が振動することでポンプ本体４８を加振する。この振動体３５によれば、噴出口５１の開口やその付近に潤滑油が付着し、噴出口５１の開口を塞いだとしても、振動体３５がポンプ本体４８を振動させ、その潤滑油を剥離させたり噴出口５１の開口から移動させたりすることで取り除くことができる。これにより、噴出口５１からの潤滑油の噴出が可能となる。図３に示すように、振動体３５は、ポンプ本体４８の外に設けられているが、ポンプ本体４８の内部に組み入れられた構成であってもよい。なお、振動体３５の加振源（振動アクチュエータ）は圧電素子以外であってもよい。また、前記第一の圧電素子５５を、振動体３５の加振源として兼用してもよい。
【００６２】
制御部４４は、圧力センサ５０の検出結果に応じて、第一処理、第二処理、及び第三処理のうちの一つの処理を選択的に実行するが、これら第一処理、第二処理、及び第三処理のうちのいずれか一つの処理と、第四処理とを同じ時間帯に、双方とも実行してもよい。
【００６３】
〔本実施形態の軸受装置１０について〕
以上のように、本実施形態の軸受装置１０によれば、ポンプ４３による給油が不安定になっている場合、その原因の一つと考えられる第二の圧力室部５７における潤滑油の圧力が圧力センサ５０によって検出される。また、ポンプ４３からの潤滑油の噴出不良が生じている場合、軸受部２０の状態（潤滑油不足の兆候）が温度センサ４９によって検出される。これら圧力センサ５０及び温度センサ４９による検出結果に基づいて、圧力調整部４６として機能する第二の圧電素子５９による調整動作（第二処理、第三処理、又は第四処理、）と、ポンプ４３の第一の圧電素子５５の変形動作（第一処理）とのうちの少なくとも一方が制御される。
【００６４】
前記調整動作の制御によれば、第二の圧力室部５７の圧力が調整されて、この第二の圧力室部５７に繋がる第一の圧力室部５４の圧力を所望の値（吐出圧）に近づけたり（第二処理、第三処理）、第二の圧力室部５７を加圧して、これに繋がる第一の圧力室部５４のエア等の異物を排出させたり（第四処理）することができる。また、前記変形動作（第一処理）の制御によれば、第一圧電素子５５に印加する電圧を変化させて、ポンプ４３による噴出能力を調整することができる。この結果、ポンプ４３による給油の不安定を解消することが可能となる。
【００６５】
特に、本実施形態では、前記のとおり、第一の圧電素子５５と第二の圧電素子５９との形式が異なっており、第二の圧電素子５９が第二の圧力室部５７の潤滑油を加圧する場合の出力は、第一の圧電素子５５が第一の圧力室部５４の潤滑油を加圧する場合の出力（最大出力）よりも大きい。このため、ポンプ４３による給油が不安定となることにより発生した給油ユニット４０の不調が、第一の圧電素子５５による出力（噴出能力）では対処できないような場合であっても、第二の圧電素子５９の機能（第二処理、第三処理、及び第四処理）によって、その不調を解消することが可能となる。
【００６６】
〔その他について〕
圧力センサ５０が、潤滑油の圧力を検出する領域は、第一の圧力室部５４からタンク４２までの間の潤滑油が存在する油領域であればよい。前記実施形態では、圧力センサ５０は、第一の圧力室部５４とタンク４２との間の配管２９の内圧を検出する場合について説明したが、圧力の検出領域を、配管２９以外の油領域としてもよい。例えば、図４に示すように、圧力センサ５０は、第二の圧力室部５７における潤滑油の圧力（内圧）を検出するように構成してもよい。
【００６７】
また、前記実施形態では（図３参照）、タンク４２側に第二の圧力室部５７が設けられており、この第二の圧力室部５７の内圧を圧力調整部４６（第二の圧電素子５９）によって調整する場合について説明したが、圧力調整部４６は、第一の圧力室部５４からタンク４２までの他の油領域における潤滑油の圧力を調整するように構成してもよい。例えば、図５に示すように、圧力調整部４６（第二の圧電素子５９）は、配管２９に設けられており、この配管２９における潤滑油の圧力を調整するようにしてもよい。
また、その変形例として、圧力調整部４６（第二の圧電素子５９）が、図６に示すように、ポンプ４３内の油領域における潤滑油の圧力を調整するように構成してもよい。つまり、ポンプ４３内における、第一の圧力室部５４の上流側の流路３７の潤滑油の圧力を、圧力調整部４６（第二の圧電素子５９）によって調整する構成としてもよい。
【００６８】
これら各形態に示すように、圧力センサ５０による圧力の検出の対象となる油領域と、圧力調整部４６によって潤滑油の内圧を調整する対象となる油領域とは、（図４及び図５に示すように）同じであってもよく、（図３及び図６に示すように）異なっていてもよい。
また、圧力センサ５０による圧力の検出の対象となる油領域を、第一の圧力室部５４とタンク４２との間の途中（例えば配管２９、図３参照）や、タンク４２（第二の圧力室部５７、図５参照）とする他に、ポンプ４３（前記上流側の流路３７）としてもよい。更に、図示しないが、圧力センサ５０による圧力の検出の対象となる油領域、及び、圧力調整部４６によって潤滑油の内圧を調整する対象となる油領域を、それぞれ、前記途中（配管２９）、第一の圧力室部５４、又はタンク４２から分岐して潤滑油が存在している領域とすることもできる。
【００６９】
前記実施形態では（図３参照）、第一の圧力室部５４からタンク４２までの間の潤滑油が存在する油領域を、第二の圧力室部５７として説明しており、この油領域（第二の圧力室部５７）における潤滑油の圧力を調整する機能を有する圧力調整部４６が、第二の圧電素子５９により構成されている場合について説明した。前記のような機能を有する圧力調整部４６は、圧電素子による構成以外であってもよく、（例えば動力源を小型のモータとする）他のアクチュエータにより構成されていてもよい。
【００７０】
以上のとおり開示した実施形態はすべての点で例示であって制限的なものではない。つまり、本発明の転がり軸受装置及び給油ユニットは、図示する形態に限らず本発明の範囲内において他の形態であってもよい。
例えば、図１に示す軸受部２０はアンギュラ玉軸受であるが、軸受の形式はこれに限らず、深溝玉軸受であってもよく、また、軸受部２０は、転動体としてころを有している円すいころ軸受や円筒ころ軸受等であってよい。
【００７１】
また、前記実施形態では（図１参照）、給油ユニット４０は、軸受部２０と共に一体化され、軸受部２０に給油を行なう場合について説明したが、給油ユニット４０は他の回転部（例えば歯車機構）を給油するように、当該回転部と共に設けられていてもよい。
【符号の説明】
【００７２】
１０：転がり軸受装置        ２０：軸受部        ２１：内輪
２２：外輪                  ２３：玉（転動体）  ２９：配管
４０：給油ユニット          ４２：タンク        ４３：ポンプ
４４：制御部                ４６：圧力調整部    ４９：温度センサ（センサ）
５０：圧力センサ（センサ）  ５４：第一の圧力室部（圧力室部）
５５：第一の圧電素子（圧電素子）      ５７：第二の圧力室部（油領域）
５９：第二の圧電素子
【図１】
2019074135.tif 000003
【図２】
2019074135.tif 000004
【図３】
2019074135.tif 000005
【図４】
2019074135.tif 000006
【図５】
2019074135.tif 000007
【図６】
2019074135.tif 000008